(57)【特許請求の範囲】
【請求項１】
一の枠に対して扉状に開閉できる他の枠を施錠するパチンコ機の錠装置であって、
前記一の枠に複数個設けられた受け金具と、
他の枠に設けられており、対応する前記受け金具と係合することにより、前記他の枠の施錠を行う複数の係合爪と、
前記係合爪を施錠位置に保持する弾性部材と、
前記係合爪を施錠位置にロックするロック部材と、
施錠位置から解錠位置まで移動することにより、全ての係合爪を前記弾性部材の弾性力に抗して施錠位置から解錠位置まで移動させる解錠部材と、
前記解錠部材が施錠位置から解錠位置まで移動するときは、前記解錠部材の動きをロック部材に伝えてロック状態を解除した後、全ての係合爪が施錠位置から解錠位置まで移動するようにその解錠部材の動きを前記係合爪に伝える解錠伝達機構とを有しており、
他の枠には、ロックレバーが設けられており、その他の枠を一の枠に対して閉じる際に、前記ロックレバーの傾斜面が前記係合爪の傾斜面よりも先に一の枠の受け金具に当接して摺動することにより、前記ロックレバーが変位する構成であり、
前記ロックレバーには前記ロック部材が設けられており、前記他の枠を一の枠に対して閉じる際、前記ロックレバーが変位することで、前記ロック部材がロック解除方向に変位する構成であり、
前記係合爪は、前記受け金具と係合する凹部とその凹部から先端までの間に前記傾斜面を備えており、他の枠を一の枠に対して閉じる際に、前記ロック部材がロック解除方向に変位した後、前記係合爪の傾斜面が受け金具に当接して摺動することでその係合爪が解錠方向に移動し、前記係合爪の傾斜面が前記受け金具を通り過ぎて前記凹部が前記受け金具の位置に到達したときに、前記弾性部材の弾性力で前記係合爪が施錠位置まで戻ってその係合爪の凹部と前記受け金具とが係合する構造であり、
前記係合爪の傾斜面が前記受け金具に当接している間、ロック部材は前記係合爪のロック状態を解除するように構成されていることを特徴とするパチンコ機の錠装置。
【請求項２】
請求項１に記載されたパチンコ機の錠装置であって、
係合爪にはロックレバーのロック部材が挿入される開口が形成されており、その開口に設けられた段部と前記ロック部材とが係合することにより、前記係合爪はロック状態に保持されることを特徴とするパチンコ機の錠装置。
【請求項３】
請求項２に記載されたパチンコ機の錠装置であって、
係合爪の開口は、円弧部と広幅部及び両者間に形成された段部とを備えており、ロックレバーのロック部材が段部から外れて円弧部の延長線状に位置した状態で前記係合爪のロック状態は解除され、
前記係合爪が解錠方向に回動して前記ロック部材が前記円弧部内に位置しているときに、前記係合爪はロックが解除された状態に保持され、
前記係合爪が施錠位置まで戻った状態で、前記ロック部材が広幅部内に位置してそのロック部材が前記段部と係合することを特徴とするパチンコ機の錠装置。
【発明の詳細な説明】
【０００１】
【発明の属する技術分野】
本発明は、一の枠に対して扉状に開閉できる他の枠を施錠するパチンコ機の錠装置に関する。
【０００２】
【従来の技術】
パチンコ機１００は、図１３の前方斜視図及び図１４の後方斜視図に示すように、枠組み形成された機台枠１０２と、この機台枠１０２の前面側に片開き状に取付けられる表枠１０３とを備えている。機台枠１０２には、図１４に示すように、縦枠１０２ａの内側面の上下所定位置に内側に突出する受け金具１０７が固定されている。受け金具１０７には、表枠１０３の裏面自由端側に取付けられた施錠ユニット１１０の係合爪１２０（図１５参照）が掛けられることにより、表枠１０３は閉じられて機台枠１０２に固定される。
【０００３】
施錠ユニット１１０は、図１５に示すように、断面略Ｌ字形に成形された固定基枠１１２を備えている。固定基枠１１２の上下所定位置にはガイド金具１１３が設けられており、各ガイド金具１１３に係合爪１２０がそれぞれピン１２２により上下回動可能に取付けられている。各係合爪１２０は、可動錠板１２５によってそれぞれの基端部１２０ｋが連結されており、その可動錠板１２５が下動することによって各係合爪１２０は上方に回動し、施錠が行われる。また、可動錠板１２５が上動することにより、各係合爪１２０は下方に回動し、解錠が行われる。
【０００４】
【発明が解決しようとする課題】
しかし、上記したパチンコ機１００では、各係合爪１２０が可動錠板１２５によって連結されているため、一方の係合爪１２０を施錠位置から解錠位置まで無理に回動させると、他方の係合爪１２０も施錠位置から解錠位置まで回動してしまう。
このため、表枠１０３と機台枠１０２との隙間から特殊工具を使用して一方の係合爪１２０を解錠位置まで回動させれば、不正に表枠１０３を開くことが可能となる。
本発明は、上記問題点に鑑みなされたものであり、不正行為により開けられ難い構造のパチンコ機の錠装置を提供することを目的とする。
【０００５】
【課題を解決するための手段】
上記した課題は、各請求項の発明によって解決される。
請求項１の発明は、一の枠に対して扉状に開閉できる他の枠を施錠するパチンコ機の錠装置であって、前記一の枠に複数個設けられた受け金具と、他の枠に設けられており、対応する前記受け金具と係合することにより、前記他の枠の施錠を行う複数の係合爪と、前記係合爪を施錠位置に保持する弾性部材と、前記係合爪を施錠位置にロックするロック部材と、施錠位置から解錠位置まで移動することにより、全ての係合爪を前記弾性部材の弾性力に抗して施錠位置から解錠位置まで移動させる解錠部材と、前記解錠部材が施錠位置から解錠位置まで移動するときは、前記解錠部材の動きをロック部材に伝えてロック状態を解除した後、全ての係合爪が施錠位置から解錠位置まで移動するようにその解錠部材の動きを前記係合爪に伝える解錠伝達機構とを有しており、他の枠には、ロックレバーが設けられており、その他の枠を一の枠に対して閉じる際に、前記ロックレバーの傾斜面が前記係合爪の傾斜面よりも先に一の枠の受け金具に当接して摺動することにより、前記ロックレバーが変位する構成であり、前記ロックレバーには前記ロック部材が設けられており、前記他の枠を一の枠に対して閉じる際、前記ロックレバーが変位することで、前記ロック部材がロック解除方向に変位する構成であり、前記係合爪は、前記受け金具と係合する凹部とその凹部から先端までの間に前記傾斜面を備えており、他の枠を一の枠に対して閉じる際に、前記ロック部材がロック解除方向に変位した後、前記係合爪の傾斜面が受け金具に当接して摺動することでその係合爪が解錠方向に移動し、前記係合爪の傾斜面が前記受け金具を通り過ぎて前記凹部が前記受け金具の位置に到達したときに、前記弾性部材の弾性力で前記係合爪が施錠位置まで戻ってその係合爪の凹部と前記受け金具とが係合する構造であり、前記係合爪の傾斜面が前記受け金具に当接している間、ロック部材は前記係合爪のロック状態を解除するように構成されていることを特徴とする。
【０００６】
本発明によると、係合爪を施錠位置にロックするロック部材が設けられているため、係合爪を不正に施錠位置から解錠位置まで動かすことはできない。このため、不正行為が成立し難くなり、パチンコ機の防犯機能が向上する。
また、解錠伝達機構は、解錠部材が施錠位置から解錠位置まで移動するときは、前記解錠部材の動きをロック部材に伝えてロック状態を解除した後、全ての係合爪が施錠位置から解錠位置まで移動するようにその解錠部材の動きを前記係合爪に伝える。このため、解錠伝達機構の働きによりロック部材が正規の解錠時に係合爪の移動を妨げることがない。
さらに、一の枠に対して他の枠を閉じる際には、ロックレバーの働きで自動的に係合爪のロック動作が解除されるため、それらの係合爪を一旦解錠方向に変位させて対応する受け金具に掛けることが可能になる。
【０００７】
請求項２の発明によると、係合爪にはロックレバーのロック部材が挿入される開口が形成されており、その開口に設けられた段部と前記ロック部材とが係合することにより、前記係合爪はロック状態に保持されることを特徴とする。
請求項３の発明によると、係合爪の開口は、円弧部と広幅部及び両者間に形成された段部とを備えており、ロックレバーのロック部材が段部から外れて円弧部の延長線状に位置した状態で前記係合爪のロック状態は解除され、前記係合爪が解錠方向に回動して前記ロック部材が前記円弧部内に位置しているときに、前記係合爪はロックが解除された状態に保持され、前記係合爪が施錠位置まで戻った状態で、前記ロック部材が広幅部内に位置してそのロック部材が前記段部と係合することを特徴とする。
【００１１】
【発明の実施の形態】
［実施の形態１］
以下、図１〜図４及び図１３、図１４に基づいて本発明の実施の形態１に係るパチンコ機の錠装置の説明を行う。ここで、図１は本実施の形態に係る錠装置の分解斜視図、図２は施錠ユニットの側面図（Ａ図）及び裏面図（Ｂ図）、図３は図２のIIIA矢視拡大図（Ａ図）及びIIIB矢視拡大図（Ｂ図）である。また、図４は図３の裏面図である。ここで、図１３、図１４は従来のパチンコ機の前方斜視図と後方斜視図であるが、共通分部が多いため本実施の形態の説明に使用する。なお、図面の上下方向はパチンコ機及び錠装置の上下方向と一致している。
【００１２】
図１３、図１４に示すように、本実施の形態に係るパチンコ機１は、方形枠状に枠組み形成された機台枠２と、この機台枠２の前面側にヒンジ（図示せず）を介して片開き状に取付けられる表枠３とを備えている。なお、表枠３には図示されていないパチンコ機１の遊技盤が装着されている。また、前記表枠３の前面には上下側にヒンジを介して片開き状に取付けられるガラス付の金枠５と、この金枠５の下部側にヒンジを介して片開き状に前板６が取付けられている。
【００１３】
機台枠２には、図１４に示すように、縦枠２ａの内側面の上下所定位置にその機台枠２の内方に突出する受け金具７が止着されている。また、表枠３の裏面には、それらの受け金具７に掛けられる係合爪２０を備える施錠ユニット１０が取付けられている。
施錠ユニット１０は、図１、図２に示すように、固定基枠１２と可動錠板１７とを備えている。
【００１４】
固定基枠１２は、施錠ユニット１０を表枠３の開閉自由端側に取付けるための部材であり、取付片１３とスライド保持片１４とにより断面略Ｌ形状に形成されている。取付片１３の上下の所定位置には係合爪２０をそれぞれ回動可能に支持する支持板１５が取付けられている。
支持板１５は、スライド保持片１４とほぼ平行な状態で取付片１３に固定されており、その先端部分（図１の右端部分）に支持ピン２１を介して係合爪２０が上下回動が可能な状態で装着されている。
【００１５】
支持板１５は、図３、図４に示すように、略角形の板であり、支持ピン２１の上方に切欠き１５ｃが形成されている。そして、その切欠き１５ｃの下端に係合爪２０の回動ストッパ１５ｓが形成されている。また、支持板１５の切欠き１５ｃの上方、即ち、その支持板１５の上端部にはバネ受け１５ｕが切起こし状に形成されている。
係合爪２０は、支持板１５から突出する爪部分２０ｔが先細状に形成されており、支持板１５と重なる基端部２０ｍが略角形に形成されている。係合爪２０の爪部分２０ｔには上側に機台枠２の受け金具７と係合する逆台形状の凹部２２が形成されている。また、回動ストッパ１５ｓに当接する係合爪２０の受け部２０ｅの近傍にはバネ受け２３が形成されており、そのバネ受け２３と支持板１５のバネ受け１５ｕとの間に係合爪２０を上方に回動させる回動バネ２４が装着されている。
【００１６】
これによって、係合爪２０は回動ストッパ１５ｓに当接する上限位置（水平位置）まで回動し、機台枠２の受け金具７と係合できる位置に保持される。係合爪２０の爪部分２０ｔには、凹部２２から先端にかけて傾斜面２６が形成されており、その傾斜面２６が表枠３を閉じる際に機台枠２の受け金具７の下側に当接するようになっている。これによって、表枠３を閉じる過程でその係合爪２０の傾斜面２６が受け金具７に倣い、その傾斜面２６が受け金具７に対して摺動している間、係合爪２０は回動バネ２４のバネ力に抗して下方に回動する。そして、係合爪２０の凹部２２が受け金具７の位置に到達した段階で、係合爪２０が回動バネ２４のバネ力により上方に回動し、その凹部２２と受け金具７とが係合する。即ち、機台枠２に対して表枠３を閉じることにより自動的にその表枠３の施錠を行うことができる。したがって、回動バネ２４が本発明の弾性部材に相当する。
【００１７】
係合爪２０の基端部２０ｍには、図４（Ａ）（Ｂ）に示すように、連結ピン２７が固定されている。連結ピン２７は、図４（Ｃ）に示すように、軸部２７ｊとフランジ部２７ｆとから構成されており、その連結ピン２７の軸部２７ｊが可動錠板１７の両端に設けられた長孔１７ｎに挿入される。これによって、各々の係合爪２０は、連結ピン２７及び長孔１７ｎを介して可動錠板１７と連結される。
【００１８】
可動錠板１７は、固定基枠１２のスライド保持片１４に沿って上動することにより、各々の係合爪２０を下方（解錠方向）に回動させる帯板状の部材であり、図１に示すように、その両端には長孔１７ｎが上下方向に形成されている。また、可動錠板１７には、その上部に設けられた段差の下にバネ掛け１７ｆが切起し状に形成されている。さらに、バネ掛け１７ｆの下方には細Ｌ字形の作動開口１７ｋが形成されており、その作動開口１７ｋの中央に係合段部１７ｄが下向きに形成されている。そして、その係合段部１７ｄに、可動錠板１７を上動させるシリンダ錠１８の解錠レバー端１９が掛けられるようになっている。
【００１９】
固定基枠１２の取付片１３には、上端部寄りの所定位置にシリンダ錠１８の取付部１３ｘが切欠き形成されており、その取付部１３ｘにシリンダ錠１８が着脱可能かつ位置調整可能に取付けられている。また、スライド保持片１４には、シリンダ錠１８の取付部１３ｘと対応する位置に角穴１４ｈが形成されており、シリンダ錠１８の解錠レバー端１９との干渉を避けられるようになっている。さらに、シリンダ錠１８の取付部１３ｘの上下所定位置には切起し状に可動錠板１７のガイド１３ｙが形成されており、上側のガイド１３ｙの近傍にバネ受け１３ｕが設けられている。
【００２０】
そして、固定基枠１２のバネ受け１３ｕと可動錠板１７のバネ掛け１７ｆとの間に、可動錠板１７を下方に引き下げるスプリング１２ｘが装着されている（図２（Ａ）参照）。これによって、可動錠板１７はその作動開口１７ｋの係合段部１７ｄが常にシリンダ錠１８の解錠レバー端１９に当接する位置まで引き下げられる。
シリンダ錠１８の解錠レバー端１９が下限位置にある状態、即ち、施錠位置では可動錠板１７が下限位置に保持されている。また、施錠位置で、各々の係合爪２０は、図３等に示すように、回動バネ２４のバネ力により上限位置（水平位置）に保持されている。
【００２１】
このとき、係合爪２０の連結ピン２７と可動錠板１７の長孔１７ｎとは、図４（Ａ）（Ｂ）に示すような位置関係となる。即ち、係合爪２０の連結ピン２７の上方には移動空間が残されており、その連結ピン２７は可動錠板１７の長孔１７ｎの下端部１７ｘ近傍に位置している。
このため、シリンダ錠１８の解錠レバー端１９によって可動錠板１７をスプリング１２ｘのバネ力に抗して上動させると、その可動錠板１７の動きが長孔１７ｎの下端部１７ｘから各々の係合爪２０の連結ピン２７に伝わり、両係合爪２０は回動バネ２４のバネ力に抗して支持ピン２１の回りを下回動する。これによって、係合爪２０の凹部２２と受け金具７との係合が解除され、解錠が行われる。
【００２２】
また、施錠位置では、前述のように、連結ピン２７の上方にその連結ピン２７の移動空間が残されているため、一の係合爪２０に対して直接解錠方向の外力が加わると、その係合爪２０は回動バネ２４のバネ力に抗して下方に回動する。しかし、このときに連結ピン２７は長孔１７ｎ内を上方に移動するだけであり、一の係合爪２０の回動力は可動錠板１７に伝わらない。このため、その係合爪２０が回動しても可動錠板１７は下限位置に保持される。したがって、一の係合爪２０が仮に外力によって回動させられても、他の係合爪２０は施錠位置に保持される。
即ち、シリンダ錠１８の解錠レバー端１９、可動錠板１７、可動錠板１７の長孔１７ｎ及び係合爪２０の連結ピン２７が本発明の解錠部材として機能する。また、連結ピン２７と長孔１７ｎとが本発明の不正解錠防止機構として機能する。
【００２３】
次に、このように構成されたパチンコ機の錠装置の動作説明を行う。
先ず、機台枠２に対する表枠３の施錠を行うには、その表枠３の裏面が機台枠２の表面に当接するまで表枠３を閉じる。これによって、表枠３に設けられた上下の係合爪２０の傾斜面２６が機台枠２の受け金具７に下から当接し、その係合爪２０の傾斜面２６が受け金具７に倣って摺動する。傾斜面２６が受け金具７に対して摺動している間、両係合爪２０は回動バネ２４のバネ力に抗して支持ピン２１の回りを下方向（図４において左回り）に回動する。そして、係合爪２０の凹部２２が受け金具７の位置に到達した状態でそれらの係合爪２０が回動バネ２４のバネ力により機台枠２の受け金具７とが係合する方向に回動する。これによって、機台枠２に対する表枠３の施錠が行われる。
【００２４】
表枠３の解錠を行うには、解錠キー（図示されていない）によりシリンダ錠１８を動作させ、解錠レバー端１９を上方に所定位置まで回動させる。解錠レバー端１９が上動すると、その解錠レバー端１９によって可動錠板１７がスプリング１２ｘのバネ力に抗して押し上げられ、その可動錠板１７の長孔１７ｎの下端部１７ｘが各々の係合爪２０の連結ピン２７を押し上げる。これによって、両係合爪２０が回動バネ２４のバネ力に抗して支持ピン２１の回りを下方に回動し、係合爪２０の凹部２２と受け金具７との係合が解除されて、解錠が行われる。
なお、図示されていない解錠取っ手により、可動錠板１７を直接上動させて、解錠を行うことも可能である。
【００２５】
次に、係合爪２０が不正に回動させられたときの錠装置の動作を説明する。
図４に示されるように、表枠３が施錠されている状態で、例えば、施錠ユニット１０の下側の係合爪２０が特殊工具により解錠方向（下方向）の力を受けると、係合爪２０は解錠方向に回動する。しかし、係合爪２０が解錠方向に回動しても、連結ピン２７は可動錠板１７の長孔１７ｎ内を上方に移動するだけであるため、その係合爪２０の回動力は可動錠板１７に伝わらない。したがって、その可動錠板１７は下限位置に保持され、上側の係合爪２０は回動バネ２４のバネ力により、施錠位置に保持される。即ち、下側の係合爪２０を不正に解錠しても上側の係合爪２０は施錠位置に保持されるため、表枠３を開くことはできない。
【００２６】
同様に、上側の係合爪２０を不正に解錠しても下側の係合爪２０は施錠位置に保持されるため、表枠３を開くことはできない。このように、表枠３を不正に開くためには、上側の係合爪２０と下側の係合爪２０とを同時に特殊工具で解錠しなければならないため、不正行為が成立し難くなる。このため、パチンコ機１の防犯機能が向上する。
ここで、本実施の形態では表枠３の錠装置について説明したが、金枠５や前板６の錠装置に応用することも可能である。
なお、長孔には長孔状の切欠き等も含むものとする。
【００２７】
［実施の形態２］
以下、図５から図９に基づいて、本発明の実施の形態２に係るパチンコ機の錠装置の説明を行う。本実施の形態に係るパチンコ機の錠装置は、実施の形態１に係るパチンコ機の錠装置における上側の係合爪にロック部材を設け、さらに可動錠板を二分割したものであり、その他の構造は実施の形態１に係るパチンコ機の錠装置とほぼ同様である。このため、実施の形態１に係るパチンコ機の錠装置と同じ部材については同じ番号を付して説明を省略する。
ここで、図５は上側の係合爪を表す側面図、図６（Ａ）は図５の裏面図、図６（Ｂ）は図６（Ａ）のＢ部拡大図、図７は図６（Ａ）の分解図、図８（Ａ）〜（Ｄ）は上側の係合爪の動作を表す側面図である。また、図９（Ａ）は下側の係合爪を表す側面図、図９（Ｂ）は図９（Ａ）の裏面図である。なお、図面の上下方向はパチンコ機及び錠装置の上下方向と一致している。
【００２８】
施錠ユニット１０の固定基枠１２には、図５等に示すように、上部所定位置に上部係合爪３０を回動可能に支持する上部支持板４０が取付けられている。上部支持板４０は縦板部４１と横板部４２とにより側面Ｌ字形に形成された板であり、縦板部４１の先端部分（図５の右端部分、図６，７の左端部分）に支持ピン２１を介して上部係合爪３０が上下回動可能な状態で装着されている。また、上部支持板４０の縦板部４１と横板部４２との境には、角形開口４３が形成されている。
【００２９】
上部支持板４０の横板部４２の先端にはロックピン４４を介してロックレバー５０が上下回動可能に取付けられている。ロックレバー５０は上部係合爪３０の回動をロックするための部材であり、先端側に傾斜面５２を有する操作部５１が形成されている。また、ロックレバー５０には、操作部５１と反対側に位置する基端部５３の下側にバネ受け５４が形成されており、さらにその基端部５３の上側の中央寄りにロック爪５６が形成されている。そして、そのロック爪５６が上部支持板４０の角形開口４３に挿入されている（図５、図７（Ａ）参照）。
【００３０】
また、ロックレバー５０のバネ受け５４にはそのロックレバー５０の基端部５３を下方に引っ張るように付勢されたロックバネ５４ｂの一端が掛けられており、そのロックバネ５４ｂの他端が固定基枠１２のバネ掛け１２ｚに掛けられている。これによって、ロックレバー５０はロック爪５６が上部支持板４０の角形開口４３の下辺に当接するまで基端部５３が下回動し（図７（Ａ）参照）、その位置に保持される。即ち、ロックレバー５０は基端部５３がロックピン４４より下側に保持され、操作部５１がロックピン４４よりも上側に保持される。そして、その操作部５１に対して下方向の外力が加えられると、ロックレバー５０の基端部５３はロック爪５６が角形開口４３の上辺に当接するまでロックバネ５４ｂのバネ力に抗して上回動する。
【００３１】
上部係合爪３０は、実施の形態１で説明した係合爪２０の基端部に円弧状の開口３３を形成したものであり、それ以外の構造は実施の形態１の係合爪２０と同様である。このため、実施の形態１の係合爪２０と共通する部分については同じ番号を付して説明を省略する。
上部係合爪３０の開口３３は、図６に示すように、支持ピン２１を中心に形成された円弧部３３ｅとその円弧部３３ｅの端部に形成された広幅部３３ｗとから構成されており、円弧部３３ｅと広幅部３３ｗとの下側の境に段部３３ｄが形成されている。そして、その上部係合爪３０の広幅部３３ｗに上部支持板４０の角形開口４３を通過したロックレバー５０のロック爪５６が挿入される。
【００３２】
前述のように、ロックレバー５０のロック爪５６はロックバネ５４ｂのバネ力により上部支持板４０の角形開口４３の下辺に当接しており、この状態でそのロック爪５６は、図６（Ｂ）に示すように、上部係合爪３０の開口３３の段部３３ｄに係合できる位置に配置される。このため、上部係合爪３０が解錠方向（下方向）に回動しようとしても、段部３３ｄがそのロック爪５６に当接するため、上部係合爪３０の回動は防止される。即ち、上部係合爪３０はロック状態に保持される。
【００３３】
しかし、ロックレバー５０の操作部５１が下げられてロック爪５６が上部支持板４０の角形開口４３の上辺に当接するまで上動すると、そのロック爪５６は上部係合爪３０の段部３３ｄから外れて円弧部３３ｅの延長線上に配置される。これによって、上部係合爪３０とロック爪５６とが干渉しなくなり、そのロック爪５６が上部係合爪３０の解錠方向（下方向）の回動を妨げることはない。即ち、上部係合爪３０のロック状態が解除される。したがって、ロック爪５６が本発明のロック部材に相当する。
【００３４】
上部係合爪３０は、連結ピン２７が上部可動錠板６０の上部長孔６１に通されることにより、その上部可動錠板６０と連結される。ここで、上部長孔６１の長さ寸法は、上部可動錠板６０が上部係合爪３０に対して所定寸法だけ上動できるように設定されており、上部可動錠板６０が所定寸法だけ上動した後はその上部可動錠板６０の押し上げ力が上部長孔６１の下端及び連結ピン２７を介して上部係合爪３０に加わるようになっている。
また、上部可動錠板６０には、図６（Ｂ）等に示すように、上部係合爪３０の開口３３の下辺と重なる位置にロック爪５６と当接する段差状押圧部６２が形成されている。このため、上部可動錠板６０が上部係合爪３０に対して所定寸法だけ上動すると、段差状押圧部６２によってロック爪５６が所定寸法だけ押し上げられることにより円弧部３３ｅの延長線上に配置され、上部係合爪３０のロックが解除される。そして、この後、上部可動錠板６０がさらに上動することにより、上部係合爪３０が下方に回動するとともに、ロック爪５６から段差状押圧部６２が外れる。
即ち、上部可動錠板６０の段差状押圧部６２及び上部長孔６１等が本発明の解錠伝達機構として機能する。
【００３５】
上部可動錠板６０は、実施の形態１で説明した可動錠板１７と同様に、シリンダ錠１８の解錠レバー端１９によって上動させられる構造である。
上部可動錠板６０の下端部には、図９に示すように、連結ピン６４が固定されており、その連結ピン６４が下部可動錠板６６の上部長孔６６ｎに挿入されている。これによって、上部可動錠板６０は連結ピン６４及び上部長孔６６ｎを介して下部可動錠板６６と連結されている。
【００３６】
下部可動錠板６６には、上部長孔６６ｎの下側にバネ掛け６６ｘが切起こし状に形成されており、そのバネ掛け６６ｘに下部可動錠板６６を引き下げる方向に付勢された下部バネ６６ｓの一端が掛けられている。そして、その下部バネ６６ｓの他端が固定基板１２に形成されたバネ掛け１２ｐに掛けられている。このため、下部可動錠板６６は上部長孔６６ｎの上端が上部可動錠板６０の連結ピン６４に当接した状態でその上部可動錠板６０と連結される。
下部可動錠板６６には下端部に連結孔６６ｄが形成されており、その連結孔６６ｄに下部係合爪２０の連結ピン２７が挿通される。
下部係合爪２０は、実施の形態１で説明した係合爪２０と同じ構造であり、下部支持板１５に支持ピン２１によって上下回動可能な状態で装着されている。
【００３７】
次に、このように構成されたパチンコ機の錠装置の説明を行う。
先ず、機台枠２に対する表枠３の施錠を行うには、その表枠３の裏面が機台枠２の表面に当接するまで表枠３を閉じる。このとき、図８（Ｂ）に示すように、最初に上部支持板４０のロックレバー５０の傾斜面５２が機台枠２の受け金具７に下から当接する。これによって、ロックレバー５０の傾斜面５２と受け金具７との摺動作用によりロックレバー５０の操作部５１に下方向の力が加えられ、ロックレバー５０はロックバネ５４ｂのバネ力に抗して図８において左回動する。これによって、ロックレバー５０に形成されたロック爪５６は上方に変位する。即ち、ロックレバー５０のロック爪５６は上部係合爪３０の段部３３ｄから外れて円弧部３３ｅの延長線上に配置され、上部係合爪３０のロック状態が解除される。
【００３８】
次に、上部係合爪３０の傾斜面２６が機台枠２の受け金具７に下から当接し、その上部係合爪３０の傾斜面２６が受け金具７に倣って摺動する。傾斜面２６が受け金具７に対して摺動している間、図８（Ｃ）に示すように、上部係合爪３０は上部可動錠板６０を下部バネ６６ｓのバネ力に抗して引き上げながら支持ピン２１の回りを下回動（図８において左回動）する。このとき、ロックレバー５０のロック爪５６は上部係合爪３０の円弧部３３ｅ内に収納される。このようにして、上部係合爪３０の傾斜面２６が受け金具７に対して摺動している間、ロックレバー５０の傾斜面５２は受け金具７から外れるが、そのロックレバー５０のロック爪５６は上部係合爪３０の円弧部３３ｅ内に収納されているため、上部係合爪３０はロックが解除された状態に保持される。このため、上部係合爪３０は左回動（下回動）を続ける。
【００３９】
そして、上部係合爪３０の凹部２２が受け金具７の位置に到達した状態で、図８（Ｄ）に示すように、その上部係合爪３０が下部バネ６６ｓのバネ力により上回動（図８において右回動）して機台枠２の受け金具７と係合する。また、ロックレバー５０のロック爪５６は上部係合爪３０が右回動することによりその上部係合爪３０の円弧部３３ｅの外に出される。これによって、ロックレバー５０がロックバネ５４ｂのバネ力で右回動し、そのロックレバー５０のロック爪５６は元の位置（上部係合爪３０の段部３３ｄと係合する位置）に戻されて、上部係合爪３０は回動不能にロックされる。
下部係合爪２０も実施の形態１の係合爪２０と同様の手順で機台枠２の受け金具７に掛けられる。これによって、機台枠２に対する表枠３の施錠が行われる。
【００４０】
このように、機台枠２に対する表枠３の閉じ動作を行う際に上部係合爪３０のロック状態が自動的に解除され、その上部係合爪３０は解錠方向に回動（下回動）可能となる。さらに、表枠３の閉じ動作が終了して上部係合爪３０が施錠位置まで戻り、その上部係合爪３０が受け金具７と係合した状態で、上部係合爪３０は自動的にロック状態に保持される。このように、通常の閉じ行為を行うだけで、自動的に上部係合爪３０のロック解除、再ロックを行うことができるため、ロック爪５６等を備えることによって表枠３を閉じる際の作業性が低下することはない。
【００４１】
表枠３の解錠を行うには、解錠キー（図示されていない）によりシリンダ錠１８を動作させ、解錠レバー端１９を上方に所定位置まで回動させる。解錠レバー端１９が上方に回動させられると、その解錠レバー端１９によって上部可動錠板６０及び下部可動錠板６６が下部バネ６６ｓのバネ力に抗して上動する。なお、下部バネ６６ｓの働きにより、上部可動錠板６０の連結ピン６４と下部可動錠板６６の上部長孔６６ｎの上端とが当接しているため、シリンダ錠１８によって上部可動錠板６０が上動させられることにより、その上部可動錠板６０と一体で下部可動錠板６６が上動する。
【００４２】
上部可動錠板６０及び下部可動錠板６６が上動すると、先ず、上部係合爪３０に対して上部可動錠板６０が上部長孔６１の寸法だけ上昇する。これによって、上部可動錠板６０の段差状押圧部６２がロックレバー５０のロック爪５６を所定寸法だけ押し上げ、そのロック爪５６が上部係合爪３０の円弧部３３ｅの延長線上に保持されて、上部係合爪３０のロックが解除される。さらに、この状態から引き続き上部可動錠板６０及び下部可動錠板６６が上動すると、上部係合爪３０及び下部係合爪２０が支持ピン２１の回りを下方に回動し、解錠が行われる。なお、上部係合爪３０が回動を開始すると、ロック爪５６から段差状押圧部６２が外れる。
ここで、図示されていない解錠取っ手により、上部可動錠板６０と下部可動錠板６６とを直接的に上動させても、解錠を行うことは可能である。
【００４３】
次に、下部係合爪２０が不正に回動させられたときの錠装置の動作を説明する。
図９に示すように、表枠３が施錠されている状態で、例えば、下部係合爪２０が特殊工具により解錠方向（下方向）の力を受けると、下部係合爪２０の回動力は下部可動錠板６６に伝達され、その下部可動錠板６６は下部係合爪２０の回動に伴なって下部バネ６６ｓのバネ力に抗して上動する。しかし、下部可動錠板６６は上部長孔６６ｎ及び連結ピン６４を介して上部可動錠板６０と連結されており、さらにその下部可動錠板６６の上部長孔６６ｎは上端が連結ピン６４と当接している。このため、下部可動錠板６６が上動しても、連結ピン６４が上部長孔６６ｎの内部を下方に相対移動するだけであり、下部可動錠板６６の動きは上部可動錠板６０に伝わらない。したがって、上部可動錠板６０は下限位置に保持されたままであり、上部係合爪３０は施錠位置から動かない。即ち、下部係合爪２０を不正に解錠しても上部係合爪３０は施錠位置にあるため、表枠３が開かれることはない。
【００４４】
また、上部係合爪３０を不正に解錠しようとしても、その上部係合爪３０がロックレバー５０のロック爪５６によってロックされているため、上部係合爪３０を解錠位置まで回動させることはできない。したがって、表枠３の不正開放を防止することができ、パチンコ機の防犯機能が向上する。
なお、本実施の形態では表枠３の錠装置について説明したが、金枠５や前板６の錠装置に応用することも可能である。
【００４５】
［実施の形態３］
以下、図１０から図１２に基づいて、本発明の実施の形態３に係るパチンコ機の錠装置の説明を行う。本実施の形態に係るパチンコ機の錠装置は、実施の形態１に係るパチンコ機の錠装置における係合爪２０と可動錠板１７とを一体化して上下に二分割したものであり、その他の構造は実施の形態１に係るパチンコ機の錠装置とほぼ同様である。このため、実施の形態１に係るパチンコ機の錠装置と同じ部材については同じ番号を付して説明を省略する。
ここで、図１０は本実施の形態に係る錠装置の分解斜視図、図１１（Ａ）は下部スライド爪の側面図、図１１（Ｂ）は図１１（Ａ）のＢ−Ｂ矢視図、図１２（Ａ）は上部スライド爪の側面図、図１２（Ｂ）は上部スライド爪の正面図である。なお、図面の上下方向はパチンコ機及び錠装置の上下方向と一致している。
【００４６】
施錠ユニット１０は、図１０に示すように、固定基枠１２と上部スライド爪７０及び下部スライド爪８０を備えている。
上部スライド爪７０は、固定基枠１２のスライド保持片１４に沿って上下動することにより解錠あるいは施錠を行う部材であり、図１２（Ａ）に示すように、爪部７２と錠板部７４とによって略逆Ｌ字形に形成されている。爪部７２は機台枠２の受け金具７に掛けられる部分であり、その先端下側には三角形状の鉤爪７２ｔが形成されている。また、鉤爪７２ｔの下側には傾斜面７２ｓが形成されており、この傾斜面７２ｓが表枠３を閉じるときに機台枠２の受け金具７に当接するようになっている。
錠板部７４は、固定基枠１２のスライド保持片１４に沿って上下動できるように第一ガイドピン１４ａ、第二ガイドピン１４ｂ（図１０参照）によってそのスライド保持片１４に連結される。錠板部７４の上部には、爪部７２側の側面にスライド保持片１４の第一ガイドピン１４ａが摺動する摺動面７４ｅが形成されている。
【００４７】
また、錠板部７４には、摺動面７４ｅよりも下側にバネ受け７４ｕが切り起こし状に形成されており、そのバネ受け７４ｕにその錠板部７４を下方に引っ張る第一バネ７５の一端が掛けられている。なお、第一バネ７５の他端は、固定基枠１２のバネ受け１３ｕに掛けられる。錠板部７４は、バネ受け７４ｕの下側に広幅部７４ｍを備えており、その広幅部７４ｍの中央に縦長孔７４ｎが形成されている。縦長孔７４ｎは、スライド保持片１４の第二ガイドピン１４ｂ（図１０参照）と係合して、そのスライド保持片１４と錠板部７４とを連結するとともに、スライド保持片１４に対する錠板部７４のスライド範囲を規制する。縦長孔７４ｎの下端部には、第二ガイドピン１４ａをその縦長孔７４ｎに収納するための大径孔７４ｒが形成されている。
【００４８】
錠板部７４の下部７４ｄは横断面Ｌ字形に折り曲げ成形されており、固定基枠１２のスライド保持片１４に対して平行な平行板部７４ｈと直角な直角板部７４ｆを備えている。そして、直角板部７４ｆの下端に後記するシリンダ錠１８の押圧部１９ｐに当接する傾斜面７４ｘが形成されている。即ち、上部スライド爪７０は第一バネ７５の働きで傾斜面７４ｘがシリンダ錠１８の押圧部１９ｐに当接する位置に保持される。
【００４９】
シリンダ錠１８は、図１０に示すように、回転軸１８ｒを有しており、その回転軸１８ｒの先端に解錠レバー１９が固定されている。解錠レバー１９には、回転軸１８ｒに対して偏心した状態でピン状の押圧部１９ｐが形成されている。そして、解錠操作により回転軸１８ｒが約90°回動することにより、押圧部１９ｐは回転軸１８ｒとほぼ同レベルの下限位置（施錠位置）から回転軸１８ｒよりも所定レベルだけ高い上限位置（解錠位置）まで上動する。
このため、施錠状態では、シリンダ錠１８の押圧部１９ｐによって支えられる上部スライド爪７０は下限位置に保持され、シリンダ錠１８の解錠操作により、上部スライド爪７０は第一バネ７５のバネ力に抗して上限位置まで上動する。
【００５０】
下部スライド爪８０は、上部スライド爪７０と同様に固定基枠１２のスライド保持片１４に沿って上下動することにより解錠あるいは施錠を行う部材であり、図１１（Ａ）に示すように、爪部８２と錠板部８４とによってＬ字形に形成されている。爪部８２は機台枠２の受け金具７に掛けられる部分であり、その先端下側には三角形状の鉤爪８２ｔが形成されている。また、鉤爪８２ｔの下側には傾斜面８２ｓが形成されており、この傾斜面８２ｓが表枠３を閉じるときに機台枠２の受け金具７に当接するようになっている。
錠板部８４は、スライド保持片１４に沿って上下動できるように第三ガイドピン１４ｃと第四ガイドピン１４ｅ（図１０参照）とによって、そのスライド保持片１４に連結される。錠板部８４には、爪部８２の下側側面にスライド保持片１４の第四ガイドピン１４ｅが摺動する摺動面８４ｅが形成されている。
【００５１】
また、錠板部８４には、爪部８２の上方にバネ受け８４ｕが切り起こし状に形成されており、そのバネ受け８４ｕにその錠板部８４（下部スライド爪８０）を下方に引っ張る第二バネ８５の一端が掛けられている。なお、第二バネ８５の他端は、固定基枠１２のバネ受け１３ｚに掛けられる。錠板部８４には、バネ受け８４ｕの上側に縦長孔８４ｎが形成されている。縦長孔８４ｎは、スライド保持片１４の第三ガイドピン１４ｃ（図１０参照）と係合して、そのスライド保持片１４と錠板部８４とを連結するとともに、スライド保持片１４に対する錠板部８４のスライド範囲を規制する。縦長孔８４ｎの下端部には、第三ガイドピン１４ｃをその縦長孔８４ｎに収納するための大径孔８４ｒが形成されている。
【００５２】
錠板部８４の上部８４ｄは横断面Ｌ字形に折り曲げ成形されており、固定基枠１２のスライド保持片１４に対して平行な平行板部８４ｈと直角な直角板部８４ｆを備えている。直角板部８４ｆには略コ字形の掛け部８４ｋが形成されており、その掛け部８４ｋの上部内側にシリンダ錠１８の押圧部１９ｐに掛けられる傾斜面８４ｘが形成されている。即ち、下部スライド爪８０は第二バネ８５の働きで傾斜面８４ｘがシリンダ錠１８の押圧部１９ｐに当接する位置に保持される。ここで、下部スライド爪８０と上部スライド爪７０とは、互いの直角板部７４ｆ，８４ｆが重ねられ、傾斜面７４ｘ，８４ｘが高さ方向において同位置に保持された状態で、シリンダ錠１８の押圧部１９ｐに支持される。
【００５３】
なお、下部スライド爪８０は、施錠状態では上部スライド爪７０と同様に下限位置に保持され、シリンダ錠１８の解錠操作により、第二バネ８５のバネ力に抗して上限位置まで上動する。
このように、上部スライド爪７０及び下部スライド爪８０が本発明の係合爪として機能し、上部スライド爪７０の傾斜面７４ｘと下部スライド爪８０の傾斜面８４ｘが受け部として機能する。また、シリンダ錠１８の解錠レバー１９の押圧部１９ｐが本発明の解錠部材の押圧部として機能する。
【００５４】
次に、このように構成されたパチンコ機の錠装置の動作説明を行う。
先ず、機台枠２に対する表枠３の施錠を行うには、その表枠３の裏面が機台枠２の表面に当接するまで表枠３を閉じる。これによって、表枠３に設けられた上部スライド爪７０の鉤爪７２ｔ及び下部スライド爪８０の鉤爪８２ｔの傾斜面７２ｓ，８２ｓが機台枠２の受け金具７に上から当接し、上部スライド爪７０、下部スライド爪８０の傾斜面７２ｓ，８２ｓが受け金具７に倣って摺動する。傾斜面７２ｓ，８２ｓが受け金具７に対して摺動している間、両スライド爪７０，８０が第一バネ７５、第二バネ８５のバネ力に抗して上動する。そして、両スライド爪７０，８０の鉤爪７２ｔ、８２ｔが受け金具７を乗り越えた段階で、両スライド爪７０，８０が第一バネ７５、第二バネ８５のバネ力により下降し、それぞれの爪部７２，８２が受け金具７と係合する。これによって、機台枠２に対する表枠３の施錠が行われる。
【００５５】
表枠３の解錠を行うには、解錠キー（図示されていない）によりシリンダ錠１８を動作させ、解錠レバー１９の押圧部１９ｐを上動させる。これによって、両スライド爪７０，８０が第一バネ７５、第二バネ８５のバネ力に抗して押し上げられ、爪部７２，８２と受け金具７との係合が解除されて、解錠が行われる。
なお、図示されていない解錠取っ手により、両スライド爪７０，８０を直接上動させて、解錠を行うことも可能である。
【００５６】
次に、爪部７２，８２が不正に動かされたときの錠装置の動作を説明する。
表枠３が施錠されている状態で、例えば、下部スライド爪８０の爪部８２が特殊工具により解錠方向（上方向）の力を受けると、下部スライド爪８０は上動して掛け部８４ｋの傾斜面８４ｘはシリンダ錠１８の押圧部１９ｐから離れる。しかし、下部スライド爪８０が上動しても、そのシリンダ錠１８の押圧部１９ｐはその位置に保持されるため、上部スライド爪７０は施錠位置に保持される。このため、上部スライド爪７０の爪部７２により、表枠３の施錠状態が保持される。
【００５７】
同様に、上部スライド爪７０の爪部７２が特殊工具により解錠方向（上方向）の力を受けると、上部スライド爪７０は上動して傾斜面７４ｘはシリンダ錠１８の押圧部１９ｐから離れる。しかし、上部スライド爪７０が上動しても、そのシリンダ錠１８の押圧部１９ｐはその位置に保持されるため、下部スライド爪８０は施錠位置に保持される。このため、下部スライド爪８０の爪部８２により、表枠３の施錠状態が保持される。したがって、不正行為が成立し難くなる。
ここで、本実施の形態では表枠３の錠装置について説明したが、金枠５や前板６の錠装置に応用することも可能である。
【００５８】
【発明の効果】
本発明によると、特殊工具を使用して一の係合爪を施錠位置から解錠位置まで移動させたとしても、他の係合爪は弾性部材により施錠位置に保持されるため、不正行為によってパチンコ機の枠を開くのが難しくなり、パチンコ機の防犯機能が向上する。
【図面の簡単な説明】
【図１】本発明の実施の形態１に係るパチンコ機の錠装置の分解斜視図である。
【図２】施錠ユニットの側面図（Ａ図）及び裏面図（Ｂ図）である。
【図３】図２のIIIA矢視拡大図（Ａ図）及びIIIB矢視拡大図（Ｂ図）である。
【図４】図３（Ａ）の裏面図（Ａ図）、図３（Ｂ）の裏面図（Ｂ図）、連結ピンの部分の縦断面図（Ｃ図）である。
【図５】本発明の実施の形態２に係るパチンコ機の錠装置の上部係合爪を表す側面図である。
【図６】図５の裏面図（Ａ図）、図６（Ａ）のＢ部拡大図（Ｂ図）である。
【図７】図６（Ａ）の分解図（Ａ図、Ｂ図）である。
【図８】上部係合爪及びロックレバー等の動作を表す側面図（Ａ図），（Ｂ図），（Ｃ図），（Ｄ図）である。
【図９】本発明の実施の形態２に係るパチンコ機の錠装置の下部係合爪を表す側面図（Ａ図）、裏面図（Ｂ図）である。
【図１０】本発明の実施の形態３に係るパチンコ機の錠装置の分解斜視図である。
【図１１】下部スライド爪の側面図（Ａ図）、Ａ図のＢ−Ｂ矢視図（Ｂ図）である。
【図１２】上部スライド爪の側面図（Ａ図）、上部スライド爪の正面図（Ｂ図）である。
【図１３】パチンコ機の前方斜視図である。
【図１４】パチンコ機の後方斜視図である。
【図１５】従来のパチンコ機の錠装置の分解斜視図である。
【符号の説明】
２      機台枠（一の枠）
３      表枠（他の枠）
７      受け金具
１７    可動錠板（解錠部材）
１７ｎ  長孔（不正解錠防止機構）
１８    シリンダ錠（解錠部材）
１９    解錠レバー端（解錠部材）
２０    係合爪
２４    回動バネ（弾性部材）
２７    連結ピン（不正解錠防止機構）
５０    ロックレバー
５６    ロック爪（ロック部材）
３０    上部係合爪
３３    開口
６０    上部可動錠板
６１    上部長孔（解錠伝達機構）
６２    段差状押圧部（解錠伝達機構）
７０    上部スライド爪（係合爪）
７２    爪部（係合爪）
７４ｘ  傾斜面（受け部）
８０    下部スライド爪（係合爪）
８２    爪部（係合爪）
８４ｘ  傾斜面（受け部）
【図１】
0003693914.tif 000002
【図２】
0003693914.tif 000003
【図３】
0003693914.tif 000004
【図４】
0003693914.tif 000005
【図５】
0003693914.tif 000006
【図６】
0003693914.tif 000007
【図７】
0003693914.tif 000008
【図８】
0003693914.tif 000009
【図９】
0003693914.tif 000010
【図１０】
0003693914.tif 000011
【図１１】
0003693914.tif 000012
【図１２】
0003693914.tif 000013
【図１３】
0003693914.tif 000014
【図１４】
0003693914.tif 000015
【図１５】
0003693914.tif 000016